(57)【要約】【課題】  ノイズを減らすためのプラズマディスプレイパネルを提供する。【解決手段】  互いに対向して配置され、画像を具現する表示領域と、表示領域のエッジに形成された非表示領域とに区画される複数の基板と、表示領域に配置される複数の放電電極と、表示領域に配置されて放電空間を区画するメイン隔壁と、非表示領域に配置されてメイン隔壁と連結され、上下左右に対称的な形状に配置されたダミー隔壁とを備える隔壁と、備えるプラズマディスプレイパネル。ノイズ除去のためのダミー隔壁が、焼成以後に収縮力によって内部に曲げられるか、または上端部が傾く現象を未然に防止することにより、パネル組立体の駆動時にノイズを最小化させることができる。【選択図】  図４
2006120608.tif 000002
【特許請求の範囲】
【請求項１】
互いに対向して配置され、画像を具現する表示領域と、前記表示領域のエッジに形成された非表示領域とに区画される複数の基板と、
前記表示領域に配置され、基板内の放電空間に放電を引き起こすように所定の電源が印加される複数の放電電極と、
前記表示領域に配置されて放電空間を区画するメイン隔壁と、前記非表示領域に配置されてメイン隔壁と連結され、上下左右に対称的な形状に配置されたダミー隔壁とを備える隔壁と、備えることを特徴とするノイズを減らすためのプラズマディスプレイパネル。
【請求項２】
前記ダミー隔壁は、メイン隔壁と一体に連結された連結隔壁と、前記連結隔壁のエッジに沿って配置された補強隔壁とからなることを特徴とする請求項１に記載のノイズを減らすためのプラズマディスプレイパネル。
【請求項３】
前記連結隔壁は、互いに交差する直線に連結された部分と、直線に連結された部分間に形成された溝部と、を備えることを特徴とする請求項２に記載のノイズを減らすためのプラズマディスプレイパネル。
【請求項４】
直線に連結された部分は、断続または連続的な直線の集合体であることを特徴とする請求項３に記載のノイズを減らすためのプラズマディスプレイパネル。
【請求項５】
前記補強隔壁は、前記連結隔壁のエッジからそれと一体に所定長さほど突出した形状であることを特徴とする請求項２に記載のノイズを減らすためのプラズマディスプレイパネル。
【請求項６】
隣接した補強隔壁の端部は互いに連結されず、所定間隔ほど離隔して配置された構造であることを特徴とする請求項５に記載のノイズを減らすためのプラズマディスプレイパネル。
【請求項７】
前記補強隔壁は、複数の四角柱状であることを特徴とする請求項５に記載のノイズを減らすためのプラズマディスプレイパネル。
【請求項８】
前記補強隔壁は、前記連結隔壁から突出した長さが、補強隔壁の幅の２倍以上であることを特徴とする請求項５に記載のノイズを減らすためのプラズマディスプレイパネル。
【請求項９】
前記ダミー隔壁は、メイン隔壁と一体に連結された連結隔壁と、そのエッジに沿って突出した補強隔壁からなり、前記補強隔壁の内側には、周囲の隔壁によって平行力を受けるように対称的な形状に形成されたことを特徴とする請求項１に記載のノイズを減らすためのプラズマディスプレイパネル。
【請求項１０】
前記補強隔壁は、前記連結隔壁から所定長さほど突出し、隣接した補強隔壁の端部は、互いに連結されずに所定間隔ほど離隔して配置されたことを特徴とする請求項９に記載のノイズを減らすためのプラズマディスプレイパネル。
【請求項１１】
前記補強隔壁は、焼成時に内側に収縮する圧力を支えるように、上下左右対称的形状に形成されたことを特徴とする請求項１０に記載のノイズを減らすためのプラズマディスプレイパネル。
【発明の詳細な説明】
【技術分野】
【０００１】
本発明は、プラズマディスプレイパネル（Ｐｌａｓｍａ Ｄｉｓｐｌａｙ Ｐａｎｅｌ：ＰＤＰ）に係り、より詳細には、隔壁(barrier rib)が焼成時に変形されて前面パネルと背面パネルとの間に間隔を発生させて、パネル組立体におけるノイズ誘発を防止するための、隔壁の構造が改善されたＰＤＰに関する。
【背景技術】
【０００２】
通常、ＰＤＰは、複数の放電電極が形成された二つの基板の間に放電ガスを注入して放電させ、これによって発生する紫外線によって蛍光体層の蛍光物質を励起させて所望の数字、文字またはグラフィックを具現する平板表示装置をいう。
【０００３】
図１は、特許文献１に開示されたプラズマ表示装置１００を図示したものである。
図面を参照すれば、前記プラズマ表示装置１００は、背面板１０１と、前記背面板１０１上に形成されたアドレス電極１０２と、前記アドレス電極１０２を埋め込む第１誘電体層１０３と、前記第１誘電体層１０３上に形成されたメイン隔壁１０４とを備える。
【０００４】
前記メイン隔壁１０４の少なくともいずれか一方の端部は、補助隔壁１０５によって、隣接する他のメイン隔壁１０４の端部と一体に連結されている。この時、前記補助隔壁１０５は、放電ガスの円滑な排気のために、メイン隔壁１０４より低く形成することが望ましい。前記メイン隔壁１０４及び補助隔壁１０５によって区画された放電空間には、赤、緑、青色の蛍光体層１０６が形成されている。
【０００５】
一方、前記背面板１０１は、前面板１０７と結合されて空間を密閉し、前記前面板１０７は、アドレス電極１０２と直交する方向に第１及び第２放電電極１０８、１０９が形成されている。前記第１及び第２放電電極１０８、１０９には、バス電極１１０が設置されている。一対の第１及び第２放電電極１０８、１０９と、それと隣接する他の一対の第１及び第２放電電極１０８、１０９との間には、ブラックマトリックス層１１１が配置されており、前面板１０７の下面には、前記第１及び第２放電電極１０８、１０９とブラックマトリス層１１１とを埋め込む第２誘電体層１１２が形成され、前記第２誘電体層１１２の表面には、保護膜層１１３が形成されている。
【０００６】
前記のように、従来のプラズマ表示装置１００は、メイン隔壁１０４と補助隔壁１０５とを連結することによって、製造工程上メイン隔壁１０４の端部が割れることを防止でき、放電空間が補助隔壁１０５によって限定されるので、ピクセルのクロストークを防止できる。
【０００７】
このような隔壁は、サンドブラスト法や、プレス法や、感光法によって製造されるが、所望のパターンを形成した以後に４５０℃以上の温度で焼成する。このように焼成する理由は、隔壁用原素材に含まれた不純物や、不要なバインダ(binder)などを焼いて隔壁をさらにかたく形成するためである。
【０００８】
ところが、隔壁は、バインダなどが焼かれてなくなる過程で、収縮される。収縮されるメイン隔壁１０４は、ディスプレイ領域であって“Ｓ”状に変形しようとし、補助隔壁１０５はその位置で固定されるので、メイン隔壁１０４の一部が陥没される形状に収縮される。
このような隔壁の変形は、圧力増加によって背面板１０１と前面板１０７との間の応力が減少する時に、パネル組立体の振動を大きくしてノイズ増加の原因となる。
【０００９】
このような現象を防止するために、従来、図２及び図３に示すように、隔壁のエッジ側にダミー隔壁２００が形成されるが、前記ダミー隔壁２００は、断続的な直線からなる直線部２０１と、前記直線部２０１の端部に沿って形成されたアークからなる部分２０２とを備えている。
【００１０】
ところが、前記ダミー隔壁２００は、焼成時の収縮による陥没現象を防止できるが、最外郭に位置したアーク部２０２の一部は、隔壁の収縮時にその上端部が傾く現象を示す。このようなアーク部２０２の傾いたギャップｇは、約１２ないし１５μｍとなる。これにより、前面板と隔壁との間隔が発生するので、離隔された間隔による振動によって依然としてノイズが発生する。
【特許文献１】韓国特許公開第０２−７６６０３号
【発明の開示】
【発明が解決しようとする課題】
【００１１】
本発明は、前記のような問題点を解決するためのものであり、隔壁の最外郭部分を上下左右対称的に配置して、対称力(symmmetric force)によって、隔壁が傾き、または曲げられる現象を防止するように構造が改善された、ノイズを減らすためのＰＤＰを提供するところにその目的がある。
【課題を解決するための手段】
【００１２】
前記のような目的を達成するために、本発明の一側面によるノイズを減らすためのＰＤＰは、互いに対向して配置され、画像を具現する表示領域と、前記表示領域のエッジに形成された非表示領域とに区画される複数の基板と、前記表示領域に配置され、基板内の放電空間に放電を引き起こすように所定の電源が印加される複数の放電電極と、前記表示領域に配置されて放電空間を区画するメイン隔壁と、前記非表示領域に配置されてメイン隔壁と連結され、上下左右に対称的な形状に配置されたダミー隔壁とを備える隔壁と、備えることを特徴とする。
【００１３】
また、前記ダミー隔壁は、メイン隔壁と一体に連結された連結隔壁と、前記連結隔壁のエッジに沿って配置された補強隔壁とからなることを特徴とする。
さらに、前記連結隔壁は、互いに交差する直線に連結された部分と、直線に連結された部分間に形成された溝部と、を備えることを特徴とする。
さらに、前記補強隔壁は、前記連結隔壁のエッジからそれと一体に所定長さほど突出した形状であることを特徴とする。
さらに、前記ダミー隔壁は、メイン隔壁と一体に連結された連結隔壁と、そのエッジに沿って突出した補強隔壁からなり、前記補強隔壁の内側には、周囲の隔壁によって平行力を受けるように対称的な形状に形成されたことを特徴とする。
【発明の効果】
【００１４】
本発明のノイズを減らすためのＰＤＰは、基板のエッジに沿って上下左右対称的なダミー隔壁が配置されることによって、次のような効果を得られる。
第１に、ノイズ除去のためのダミー隔壁が、焼成以後に収縮力によって内部に曲げられるか、または上端部が傾く現象を未然に防止することにより、パネル組立体の駆動時にノイズを最小化させることができる。
第２に、焼成時に隔壁が傾き、または変形される現象を防止することによって、隔壁を定位置に形成できて、組立て密着度が大きく向上する。
【発明を実施するための最良の形態】
【００１５】
以下、添付された図面を参照しつつ、本発明の一実施形態によるＰＤＰを詳細に説明する。
図４は、本発明の一実施形態によるＰＤＰ ４００を一部切開して示すものである。
図面を参照すれば、前記ＰＤＰ ４００は、前面基板４０１と、前記前面基板４０１に対して平行に配置された背面基板４０２とを備えている。前記前面基板４０１と背面基板４０２とは、相互結合時に対向面のエッジに沿ってフリットガラス(flit glass)によって封着されて、内部空間が外部から密閉保護される。
【００１６】
前記前面基板４０１は、透明な基板、例えば、ソーダライムガラス(soda lime glass)からなっている。前記前面基板４０１の下面には、ＰＤＰ ４００のＸ方向と平行した方向にＸ電極及びＹ電極４０３、４０４が形成されている。前記Ｘ及びＹ電極４０３、４０４は、ＰＤＰ ４００のＹ方向に沿って交互に配置されており、放電セル別に一対ずつ位置している。
【００１７】
前記Ｘ電極４０３は、前記前面基板４０１の内面に形成された透明な第１電極ライン４０３ａと、前記第１透明電極ライン４０３ａと重畳された第１バス電極ライン４０３ｂとを備えている。前記第１透明電極ライン４０３ａの内側壁には、前記Ｙ電極４０４に向かって第１突出部４０３ｃが突出している。
【００１８】
前記Ｙ電極４０４は、Ｘ電極４０３と実質的に対称な形状であり、前面基板４０１の内面に形成された透明な第２電極ライン４０４ａと、前記第２透明電極ライン４０４ａと重畳された第２バス電極ライン４０４ｂとを備えている。前記第２透明電極ライン４０４ａの内側壁には、前記Ｘ電極４０３に向かって第２突出部４０４ｃが突出している。
【００１９】
前記第１及び第２透明電極ライン４０３ａ、４０４ａは、前面基板４０１の開口率(aperture rate)を向上させるために透明な導電膜、例えば、ＩＴＯ膜（Ｉｎｄｉｕｍ Ｔｉｎ ＯｘｉｄｅＦｉｌｍ）からなっている。前記第１及び第２バス電極ライン４０３ｂ、４０４ｂは、前記第１及び第２透明電極ライン４０３ａ、４０４ａのライン抵抗を減らし、導電性を向上させるために、導電性に優れた金属材、例えば、銀ペーストや、クロム−銅−クロム合金からなっている。
【００２０】
この時、一対のＸ及びＹ電極４０３、４０４と、これと隣接した他の一対のＸ及びＹ電極４０３、４０４との間の空間は、非放電領域に該当する。このような非放電領域には、コントラストを向上させるためにブラックストライプ層がさらに形成されることもできる。
【００２１】
前記Ｘ及びＹ電極４０３、４０４は、前面誘電体層４０５によって埋め込まれている。前記前面誘電体層４０５は、ガラスペーストに各種フィラー(filler)を添加してなっている。前記前面誘電体層４０５は、前記Ｘ及びＹ電極４０３、４０４が形成された部分にのみ選択的に印刷されることもあり、前記前面基板４０１の下面に全体的に印刷されることもある。前記前面誘電体層４０５の表面には、その破損を防止し、かつ２次電子放出量を増大させるために、酸化マグネシウム（ＭｇＯ）のような保護膜層４０６が蒸着されている。
【００２２】
前記背面基板４０２は、前面基板４０１と実質的に同じ素材からなっている。前記背面基板４０２上には、アドレス電極４０７が配置されている。前記アドレス電極４０７は、前記Ｘ及びＹ電極４０３、４０４と交差する方向に配置されている。前記アドレス電極４０７は、背面誘電体層４０８によって埋め込まれている。
【００２３】
一方、前記前面基板４０１と背面基板４０２との間には、それらと共に放電セルを区画するメイン隔壁(main barrier rib)４０９が形成されている。前記メイン隔壁４０９は、アドレス電極４０７と交差する方向に配置された第１メイン隔壁(first barrier rib)４０９ａと、前記アドレス電極４０７と平行した方向に配置された第２メイン隔壁(second barrier rib)４０９ｂとを備えている。前記第１メイン隔壁４０９ａは、隣接した一対の第２メイン隔壁４０９ｂの内側壁から対向する方向に一体に延びて形成されており、前記第１メイン隔壁４０９ａと第２メイン隔壁４０９ｂとの結合は、マトリックス型の放電空間を区画している。
【００２４】
代案には、前記メイン隔壁４０９は、メアンダー(meander)型や、デルタ(delta)型、ハニカム(honeycomb)型など多様な形態の実施形態が存在し、これによって区画された放電セルは、四角形以外にも他の形状である多角形や、円形などいかなる放電空間にも適用できる。
【００２５】
一方、前記前面及び背面基板４０１、４０２と、メイン隔壁４０９とによって区画された放電セル内には、ネオン（Ｎｅ）−キセノン（Ｘｅ）や、ヘリウム（Ｈｅ）−キセノン（Ｘｅ）のような放電ガスが注入されている。
【００２６】
また、放電セル内には、放電ガスから発生した紫外線によって励起されて可視光線を放出する赤、緑、青色の蛍光体層４１０が塗布されている。前記赤、緑、青色の蛍光体層４１０は、放電セルのいかなる領域にも塗布されうるが、本実施形態では、前記メイン隔壁４０９の内側に塗布されている。前記蛍光体層４１０は、それぞれの放電セル別にコーティングされている。赤色の蛍光体層は（Ｙ，Ｇｄ）ＢＯ３；Ｅｕ＋３からなり、緑色の蛍光体層はＺｎ２ＳｉＯ４：Ｍｎ２＋からなり、青色の蛍光体層はＢａＭｇＡｌ１０Ｏ１７：Ｅｕ２＋からなることが望ましい。
【００２７】
図５は、図４の前面及び背面基板４０１、４０２上に配置された放電電極及び隔壁(barrier rib)が配置された状態を図示したものである。
図面を参照すれば、前記前面及び背面基板４０１、４０２は、画像を表示する領域の表示領域Ｄａ（Ｄｉｓｐｌａｙ ａｒｅａ、Ｄａ）と、表示領域のエッジに沿って形成されて、外部端子との接続のための領域である非表示領域ＮＤａ（Ｎｏｎ Ｄｉｓｐｌａｙ ａｒｅａ、ＮＤａ）とに区画される。
【００２８】
表示領域Ｄａには、ＰＤＰ ４００のＸ方向に沿ってＸ及びＹ電極４０３、４０４が交互に配置されており、ＰＤＰ ４００のＹ方向に沿ってアドレス電極４０７が配置されている。また、表示領域Ｄａにはメイン隔壁４０９が配置されており、メイン隔壁４０９で区画された単位放電セル内には、一対のＸ及びＹ電極４０３、４０４と、アドレス電極４０７とが配置されている。
【００２９】
ここで、前記メイン隔壁４０９の外郭には、焼成工程中に隔壁の収縮を防止し、収縮力によってメイン隔壁４０９が曲げられて、前面基板４０１と背面基板４０２との結合時に離隔して結合されてノイズが発生することを防止するために、上下左右対称的なダミー隔壁４１１が形成されている。前記ダミー隔壁４１１は、表示領域Ｄａに配置された隔壁４０９と実質的に一体に連結されている。
【００３０】
このようなダミー隔壁の構造は、図６を参照してさらに詳細に説明される。
図６は、本発明の第１実施形態による前記メイン隔壁４０９と連結されたダミー隔壁６００を図示したものである。
図面を参照すれば、前記ダミー隔壁６００は、表示領域に配置されるメイン隔壁４０９（図４参照）と連結される連結隔壁６１０と、前記連結隔壁６１０のエッジに配置された補強隔壁６２０とを備えている。
【００３１】
前記連結隔壁６１０は、直線に連結された直線部６１１と、前記直線部６１１の間に形成される溝部６１２とを備えている。前記直線部６１１は、パネルのＸ方向に配置された第１直線部６１３と、パネルのＹ方向に配置された第２直線部６１４とを備えている。前記第１直線部６１３と第２直線部６１４とは互いに交差する方向に配置され、互いに幅を異ならせて一体に連結されている。また、前記第１及び第２直線部６１３、６１４は、パネルのＸ及びＹ方向に沿って連続的または不連続的に配置されている。
【００３２】
このような第１直線部６１３と第２直線部６１４との間には、互いに大きさを異ならせた溝部６１２が形成されている。前記溝部６１２は中空の四角柱状になっており、所定間隔ほど離隔して規則的または不連続的に形成されている。
【００３３】
また、前記補強隔壁６２０は、前記連結隔壁６１０に一体に連結されている。前記補強隔壁６２０は、第１直線部６１３と連結された第１補強部６２１と、第２直線部６１４と連結された第２補強部６２２とを備えている。
【００３４】
前記第１及び第２補強部６２１、６２２は実質的に同じ形状であり、四角柱状である。このような第１及び第２補強部６２１、６２２は、パネルのＸ及びＹ方向に沿って連結隔壁６１０のエッジで所定間隔ほど離隔して複数個が配置された突出した構造である。また、前記第１及び第２補強部６２１、６２２の端部は、隣接して配置された隔壁の端部間に互いに連結されておらず、連結隔壁６１０から一体に延びている。
【００３５】
前記補強隔壁６２０は、隔壁の焼成時に内側に収縮しようとする力を抑制するために、上下左右に対称をなしている。すなわち、従来のアーク型のように流線型部分にのみ圧縮力が作用せず、上下左右に圧縮力が作用する構造である。これにより、隔壁が曲がり、または上端部が所定角度傾く現象を防止できる。
この時、連結隔壁６１０から延びる補強隔壁６２０の長さＬと幅Ｗとの相対的な関係式を見れば、２Ｗ＜Ｌになることが、圧縮力の抑制に有利であるといえる。
【００３６】
前記のような構造を持つＰＤＰ ６００の隔壁を製造するための過程を、図４ないし図６を参照して説明すれば、次の通りである。
まず、背面基板４０２上にアドレス電極４０７をパターン化させ、前記アドレス電極４０７を背面誘電体層４０８によって埋め込んだ後、前記背面誘電体層４０８の上面に隔壁形成用原素材を全面塗布する。
【００３７】
次いで、隔壁形成用原素材の上面にフォトレジスタ層を全面コーティングした後、その上部からフォトマスクを整列して、露光及び現像を経る。
次いで、エッチングによって隔壁形成用原素材の不要な部分を除去して、所望する形状の主隔壁４０９を形成する。この時、主隔壁４０９の上面にはフォトレジスタ層が残留しており、後続工程で残留するフォトレジスタ層を除去して主隔壁４０９を完成する。この時、パターン化された主隔壁４０９は、４５０℃以上の温度で加熱して、隔壁用原素材に含まれた不純物や、バインダなどを焼く焼成工程を経る。
ここで、前記メイン隔壁４０９と一体に連結されるダミー隔壁６００も同時にパターン化される。
【００３８】
前記ダミー隔壁６００は、隔壁の焼成時に曲げられるか、または変形される圧縮力に反してその形状を維持するために、上下左右対称的な形状の連結隔壁６１０と、前記連結隔壁６１０から外郭に複数個突出した補強隔壁６２０とを持つように形成される。
前記補強隔壁６２０は、その内側に配置された連結隔壁６１０の直線部６１１によって支える力を受けて曲げられなくなり、前記直線部６１１も周辺を取り囲んでいるさらに他の直線部６１１によって平行力を受ける。
【００３９】
図７ないし図９は、本発明の他の実施形態によるダミー隔壁を図示したものである。
ここでは、本発明の特徴部のみ抜粋して説明する。
図７を参照すれば、ダミー隔壁７００は、連結隔壁７１０と、そのエッジに配置された補強隔壁７２０とを備えている。
【００４０】
前記連結隔壁７１０は、直線に連結された部分７１１と、前記直線部７１１の間に形成された溝部７１２とを備えており、前記直線部７１１は、パネルの一方向に配置された第１直線部７１３と、前記第１直線部７１３と交差する方向に配置された第２直線部７１４とからなり、前記第１直線部７１３と第２直線部７１４との間には、複数の溝部７１２が形成されており、前記第１及び第２直線部７１３、７１４は、断続または連続的な直線の集合(aasembly)をなしている。
【００４１】
また、前記補強隔壁７２０は、連結隔壁７１０のエッジに沿って配置され、第１直線部７１３と連結された第１補強部７２１と、第２直線部７１４と連結された第２補強部７２２とを備えている。この時、前記第１補強部７２１は、その断面が台形になっており、第２補強部７２２は矩形形状である。
【００４２】
図８を参照すれば、ダミー隔壁８００は、連結隔壁８１０と、そのエッジに沿って配置された補強隔壁８２０とを備えている。前記連結隔壁８１０は、パネルの上下左右方向に沿って断続または連続的な直線に配置された第１及び第２直線部８１３、８１４を備えており、第１直線部８１３と第２直線部８１４との間には複数の溝部８１２が形成されている。
【００４３】
また、前記補強隔壁８２０は、前記第１直線部８１３と連結された第１補強部８２１と、前記第１直線部８１４と連結された第２補強部８２２とを備えており、前記第１及び第２補強部８２１、８２２はいずれも矩形の断面をなしている。この時、前記第１及び第２補強部８２１、８２２は互いに同じ間隔を維持するものではなく、第１補強部８２１が、第２補強部８２２に比べて間隔が狭く配置されている。
【００４４】
図９を参照すれば、ダミー隔壁９００は、連結隔壁９１０と、それと連結された補強隔壁９２０とを備えている。前記連結隔壁９１０は、パネルの上下左右方向に沿って断続または連続的に形成された直線の集合体からなる第１及び第２直線部９１３、９１４を含む直線部９１１と、前記直線部９１１の間に形成された溝部９１２とを備えている。
【００４５】
前記補強隔壁９２０は、第１直線部９１３と一体に連結された第１補強部９２１と、第２直線部９１４と一体に連結された第２補強部９２２とを備えており、前記第１及び第２補強部９２１、９２２は矩形の断面を持つ。また、前記第２補強部９２２の幅は、前記第１補強部９２１の幅より狭く形成されており、隣接した補強部の間隔も狭く配置されている。
【００４６】
このように、図７ないし図９に開示されたダミー隔壁７００ないし９００は表示領域の隔壁と連結され、多様な形状に配置可能である。この時、前記ダミー隔壁７００ないし９００は、隔壁の焼成時に上下左右対称に置かれている対称力によって、内側に収縮する圧縮力のために曲がるか、または隔壁の上端部一部が傾く現象が発生しない。
【００４７】
本発明は、図面に図示された実施形態を参考として説明されたが、これは例示的なものに過ぎず、当業者ならばこれより多様な変形及び均等な他の実施形態が可能であるという点を理解できる。したがって、本発明の真の技術的保護範囲は、特許請求の範囲の技術的思想によって定められねばならない。
【産業上の利用可能性】
【００４８】
本発明は、隔壁の構造を改善したＰＤＰを提供して、焼成以後の収縮力による隔壁の不均一を防止し、パネル組立体の駆動時にノイズを最小化できる。
【図面の簡単な説明】
【００４９】
【図１】従来のＰＤＰを示す分離斜視図である。
【図２】従来のダミー隔壁を示す平面図である。
【図３】図２の斜視図である。
【図４】本発明の一実施形態によるＰＤＰを示す分離斜視図である。
【図５】図４のＰＤＰの隔壁が配置された状態を一部拡大して示す平面図である。
【図６】本発明の第１実施形態によるダミー隔壁を示す斜視図である。
【図７】本発明の第２実施形態によるダミー隔壁を示す斜視図である。
【図８】本発明の第３実施形態によるダミー隔壁を示す斜視図である。
【図９】本発明の第４実施形態によるダミー隔壁を示す斜視図である。
【符号の説明】
【００５０】
４００  ＰＤＰ
４０１  前面基板
４０２  背面基板
４０３  Ｘ電極
４０３ａ  第１透明電極ライン
４０３ｂ  第１バス電極ライン
４０３ｃ  第１突出部
４０４  Ｙ電極
４０４ａ  第２透明電極ライン
４０４ｂ  第２バス電極ライン
４０４ｃ  第２突出部
４０５  前面誘電体層
４０６  保護膜層
４０７  アドレス電極
４０８  背面誘電体層
４０９  メイン隔壁
４０９ａ  第１メイン隔壁
４０９ｂ  第２メイン隔壁
４１０  赤、緑、青色の蛍光体層
【図１】
2006120608.tif 000003
【図２】
2006120608.tif 000004
【図３】
2006120608.tif 000005
【図４】
2006120608.tif 000006
【図５】
2006120608.tif 000007
【図６】
2006120608.tif 000008
【図７】
2006120608.tif 000009
【図８】
2006120608.tif 000010
【図９】
2006120608.tif 000011